(57)【要約】【課題】  被照射物が変わることによって当該被照射物が有する蛍光物質の成分や組成等が変わった場合であっても、視認性（見栄え）を向上させ得る照明装置を提供する。【解決手段】  照明装置１０は、主に可視光線を放射する可視光線ランプに相当する蛍光ランプ１２ａ，１２ｃと、主に紫外線を放射する紫外線ランプに相当するブラックライト１２ｂと、蓄光性蛍光物質を有する被照射物に照射するときブラックライト１２ｂから照射する光度および蛍光ランプ１２ａ，１２ｃから照射する光度のうちで一方または双方の光度を調整する制御装置１６とを有する。制御装置１６によってブラックライト１２ｂおよび蛍光ランプ１２ａ，１２ｃのうちで一方または双方について発光や光度等を調整する。このように制御装置１６が適切な光度を調整するので、造花などのような被照射物の視認性（見栄え）を向上させることができる。【選択図】        図１
2006114332.tif 000002
【特許請求の範囲】
【請求項１】
主に紫外線を放射する紫外線ランプと、主に可視光線を放射する可視光線ランプとを収容した照明装置であって、
蓄光性蛍光物質を有する被照射物に照射するとき、前記紫外線ランプから照射する光度および前記可視光線ランプから照射する光度のうちで一方または双方の光度を調整する光度調整手段を有する照明装置。
【請求項２】
請求項１に記載した照明装置であって、
波長が異なる紫外線ランプを複数備え、
光度調整手段は、複数の紫外線ランプのうちで一以上の紫外線ランプを選択して照射する制御を行う照明装置。
【請求項３】
請求項１または２に記載した照明装置であって、
被照射物への照射によって反射された反射光の照度を測定する照度センサを備え、
光度調整手段は、前記照度センサによって測定された照度に応じて、紫外線ランプから照射する光度および可視光線ランプから照射する光度のうちで一方または双方の光度を調整する制御を行う照明装置。
【発明の詳細な説明】
【技術分野】
【０００１】
本発明は、紫外線ランプと可視光線ランプとを収容した照明装置に関する。
【背景技術】
【０００２】
従来では、文字や図形に蛍光物質を用いた表示板を照明するため、紫外線ランプと可視光線ランプとを収容した照明装置に関する技術の一例が開示されている（例えば特許文献１を参照）。この照明装置によれば、固定された表示板に対する視認性が向上した。
【特許文献１】特開平１０−３３１１１９号公報（第２−３頁，図１）
【発明の開示】
【発明が解決しようとする課題】
【０００３】
しかし、同じ被照射物であっても、例えば祭壇やショーウィンドウなどで飾る展示物（例えば造花や被服等）は、時期や催事等によって変わってゆく。しかも、被照射物たる展示物自体が変わったり、展示物の配置が変わる場合もある。こうした場合、変化内容に応じて照明する機材（例えばスポットライトや蛍光灯等）や、照明角度を変えるのが通常である。従来の照明装置を用いた場合は変化がない文字や図形の視認性を向上できたとしても、被照射物が変わることによって当該被照射物が有する蛍光物質の成分や組成等も変わるために視認性に変化がみられない場合がある。
本発明はこのような点に鑑みてなしたものであり、被照射物が変わることによって当該被照射物が有する蛍光物質の成分や組成等が変わった場合であっても、視認性（見栄え）を向上させ得る照明装置を提供することを目的とする。
【課題を解決するための手段】
【０００４】
（１）課題を解決するための手段（以下では単に「解決手段」と呼ぶ。）１は、主に紫外線を放射する紫外線ランプと、主に可視光線を放射する可視光線ランプとを収容した照明装置であって、蓄光性蛍光物質を有する被照射物に照射するとき、前記紫外線ランプから照射する光度および前記可視光線ランプから照射する光度のうちで一方または双方の光度を調整する光度調整手段を有することを要旨とする。
【０００５】
紫外線ランプが発する光の波長（例えば３１５０〜４００ｎｍ；近紫外線）と、可視光線ランプが発する光の波長（例えば３８０〜７６０ｎｍ）とでは、波長に違いがあるために視認性向上に寄与する蛍光物質や非蛍光物質にも違いがある。解決手段１によれば、光度調整手段が紫外線ランプおよび可視光線ランプのうちで一方または双方の光度を調整する。被照射物が変わることによって当該被照射物が有する蛍光物質の成分や組成等が変わった場合であっても、適切な光度を調整することにより、視認性（見栄え）を向上させることができる。
【０００６】
（２）解決手段２は、解決手段１に記載した照明装置であって、波長が異なる紫外線ランプを複数備え、光度調整手段は、複数の紫外線ランプのうちで一以上の紫外線ランプを選択して照射する制御を行うことを要旨とする。
【０００７】
一定の波長で被照射物を照射しても、当該被照射物が有する蛍光物質の成分や組成等によって発光率や反射率が変わるので、視認性にも影響する。解決手段２によれば、波長が異なる紫外線ランプが複数あり、光度調整手段によって一以上の紫外線ランプを選択して照射するので、適切な紫外線ランプを選択することにより発光率や反射率を高めることが可能になる。被照射物が変わることによって当該被照射物が有する蛍光物質の成分や組成等が変わった場合であっても、発光率や反射率を高めて、視認性（見栄え）を向上させることができる。
【０００８】
（３）解決手段３は、解決手段１または２に記載した照明装置であって、被照射物への照射によって反射された反射光の照度を測定する照度センサを備え、光度調整手段は、前記照度センサによって測定された照度に応じて、紫外線ランプから照射する光度および可視光線ランプから照射する光度のうちで一方または双方の光度を調整する制御を行うことを要旨とする。
【０００９】
被照射物への照射によって反射された反射光には、蛍光物質による発光を含む。解決手段３によれば、照度センサによって測定された照度に応じて、光度調整手段が紫外線ランプおよび可視光線ランプのうちで一方または双方の光度を調整する。被照射物が変わることによって当該被照射物が有する蛍光物質の成分や組成等が変わった場合であっても、適切な照度を維持できるので、視認性（見栄え）を向上させることができる。
【発明の効果】
【００１０】
本発明によれば、被照射物が変わることによって当該被照射物が有する蛍光物質の成分や組成等が変わった場合であっても、適切な光度が調整されるので、視認性（見栄え）を向上させることができる。
【発明を実施するための最良の形態】
【００１１】
本発明を実施するための最良の形態について、図面を参照しながら説明する。
【００１２】
〔実施の形態１〕
まず実施の形態１は、二本の蛍光ランプと一本のブラックライトとからなる照明装置に本発明を適用した例であって、図１〜図５を参照しながら説明する。図１には、照明装置の構成例を表す。具体的には、側面図を図１（Ａ）に表し、底面図を図１（Ｂ）に表し、側面図を図１（Ｄ）に表す。また、照度センサの構成を図１（Ｃ）に表す。
【００１３】
図１に示す照明装置１０は、ランプ群１２，照度センサ１４，制御装置１６，ソケット１８，反射笠２０などを備える。ランプ群１２は複数のランプからなり、本例では二本の蛍光ランプ１２ａ，１２ｃと一本のブラックライト１２ｂとを取り付けている。蛍光ランプ１２ａ，１２ｃは主に可視光線を放射する可視光線ランプに相当し、ブラックライト１２ｂは主に紫外線を放射する紫外線ランプに相当する。本例では、真ん中にブラックライト１２ｂを配置し、その両側に蛍光ランプ１２ａ，１２ｃを配置している。
なお図１（Ｂ）では、蛍光ランプとブラックライトとを区別し易くするために、ブラックライトについてのみ斜線ハッチを施している。
【００１４】
照度センサ１４は、被照射物への照射によって反射された反射光の照度を測定し、その測定結果を信号で伝達する。具体的には図１（Ｃ）に表すように、ランプ群１２から発した光を取り込まないようにするため、センサ本体１４ｂから筒状に延びた筒体１４ａを有する。制御装置１６はランプ群１２の発光や光度等を制御する。当該制御装置１６の構成例は後述する。ソケット１８は、ランプ群１２を取り付けて保持するとともに、当該ランプ群１２に対して電力を伝達する部材である。反射笠２０は、ランプ群１２から発した光を被照射物に向けて反射させる部材である。
【００１５】
図２には、上述した制御装置１６の構成例を簡単にブロック図で表す。本例の制御装置１６は、光度調整回路１６ａやランプ切換回路１６ｂなどを有する。スターター回路などの蛍光灯に組み込まれる基本的な回路は周知であるので、図示および説明を省略する。
【００１６】
光度調整回路１６ａは、照度センサ１４から伝達された信号を受けて現在の照度を取得し、取得した照度に基づいてランプ群１２から発する光の光度を調整する。調整方法としては、例えば次の二例がある。第１の方法は、取得した照度と基準照度（例えば１０００ルクス）との差分値に従ってランプ群１２に印加する電圧（０ボルトを含む）を増減し、光度を増減する。基準照度は、照明装置１０の使用目的に応じて設定するのが望ましい。第２の方法は、キーボードやテンキーなどの入力装置から目標照度（例えば５００ルクス）を入力してメモリに記憶しておき、当該目標照度と取得した照度との差分値に従ってランプ群１２に印加する電圧を増減し、光度を増減する。
【００１７】
ランプ切換回路１６ｂは、光度調整回路１６ａによって調整する照度に応じて、ランプ群１２を構成する蛍光ランプ１２ａ，１２ｃやブラックライト１２ｂのオン（点灯）／オフ（消灯）を個別に切り換える。具体的には、蛍光ランプ１２ａ，１２ｃやブラックライト１２ｂに印加すべき電圧が下限電圧以下であるか下限電圧を超えるかによって個別に切り換えを行う。なお、光度調整回路１６ａによって調整する照度にかかわらず、スイッチやボタン等の入力装置からの入力情報に従って、各ランプのオン／オフを個別に切り換え可能に構成してもよい。
【００１８】
図３には、制御装置１６において以下に示すような手続きを実現する光度制御処理をフローチャートで表す。手続きは、まず照度センサ１４から伝達された信号を受けて現在の照度を取得すると〔ステップＳ１０〕、取得した照度と基準照度との関係を比較する〔ステップＳ１１〕。もし、取得した照度が基準照度と同じ（許容範囲内を含む）であれば（ステップＳ１１で「＝」）、ランプ群１２の光度が調整されているので何も行わない。
【００１９】
一方、取得した照度が基準照度よりも大きいときは（ステップＳ１１で「＞」）、照射する光度が高すぎるのでランプ群１２に印加する電圧を下げる〔ステップＳ１２〕。この場合、下げた電圧が下限電圧よりも低くなったときは（ステップＳ１３でＹＥＳ）、ランプ切換回路１６ｂによって一部のランプを消灯する〔ステップＳ１４〕。どのランプを消灯すべきかは実験等を行なって設定し、例えば消灯を行うごとに蛍光ランプ１２ｃ→ブラックライト１２ｂ→蛍光ランプ１２ａの順番で消灯してゆく。
【００２０】
これに対して、取得した照度が基準照度よりも小さいときは（ステップＳ１１で「＜」）、照射する光度が低すぎるのでランプ群１２に印加する電圧を上げる〔ステップＳ１５〕。この制御によって、被照射物の照度が基準照度をなるように維持できる。なお、本例では基準照度を適用したが、目標照度を適用した場合も同様である。
【００２１】
上述のように構成した照明装置１０を用いて、造花を使ったフラワーアレンジメントを照らす例について図４，図５を参照しながら説明する。図４には照明装置１０の使用例を表し、図５には波長と照度（分光分布）の関係を表す。
【００２２】
図４に示すように、フラワーアレンジメントとしての造花２２を照らしたとき、反射光（照度）の分光分布は例えば図５（Ａ）に示すようなグラフとなる。当該図５（Ａ）には、自然光で造花２２を照らしたときには二点鎖線の曲線ｆ８が得られたことを表し、蛍光ランプ１２ａ，１２ｃで造花２２を照らしたときには太線の曲線ｆ６が得られたことを表し、ブラックライト１２ｂで造花２２を照らしたときには細線の曲線ｆ４が得られたことを表す。そして、照明装置１０（すなわち蛍光ランプ１２ａ，１２ｃおよびブラックライト１２ｂ）で造花２２を照らしたときには一点鎖線の曲線ｆ２が得られたことを表す。
【００２３】
本例では、ブラックライト１２ｂが放射する紫外線は波長λａ（例えば３４０[nm]など）をピークとし、当該波長λａとその近傍で全体の照度（曲線ｆ２で表す）を押し上げている。すなわち造花２２を見た目で言えば、造花２２に含まれている発光体（すなわち蓄光性蛍光特性を有する物質）がブラックライト１２ｂから放射された紫外線を受けて発光していることを意味する。
【００２４】
そこで、蛍光ランプ１２ａ，１２ｃの光度を変えずにブラックライト１２ｂの光度を高めてみると、造花２２の反射光にかかる分光分布は図５（Ｂ）に示すようなグラフとなった。すなわち波長λａを中心とする波長およびその近傍でさらに全体の照度（すなわち曲線ｆ２）を押し上がり、自然光の曲線ｆ８に近似する結果となった。これは結果として造花２２が自然光の場合に近い色で見えていることになり、演色性が高まっている。よって、図５（Ｂ）の分光分布が得られるような照度を基準照度（または目標照度）とすれば、造花２２が有する蛍光物質の成分や組成等が変わった場合であっても、発光率や反射率を高めて、視認性（見栄え）を向上させることができる。
【００２５】
上述した例は造花２２を被照射物として適用したが、他の造花，被服，マネキン，写真楯などのような展示物を被照射物として適用したり、室内に置かれた物を被照射物として適用するなどでも同様である。照明装置１０が照らす被照射物が変わると、当該被照射物が有する蛍光物質の成分や組成等も変わるので、同じ光度で照らしても視認性（見栄え）が変わる。このような場合でも、照明装置１０が基準照度や目標照度等に基づいてランプ群１２の光度を適切に調整するので、被照射物の視認性を向上させることができる。
【００２６】
上述した実施の形態１によれば、以下に示す各効果を得ることができる。
（ａ１）蓄光性蛍光物質を有する被照射物（本例では造花２２）に照射するとき、ブラックライト１２ｂから照射する光度および蛍光ランプ１２ａ，１２ｃから照射する光度のうちで一方または双方の光度を調整する制御装置１６を備えた（図１，図２を参照）。制御装置１６（具体的には光度調整回路１６ａとランプ切換回路１６ｂ）によってブラックライト１２ｂおよび蛍光ランプ１２ａ，１２ｃのうちで一方または双方について発光や光度等を調整する。造花２２などのように被照射物が変わると、当該被照射物が有する蛍光物質の成分や組成等も変わることが多い。この場合でも、制御装置１６が適切な光度を調整するので、造花２２などの被照射物の視認性（見栄え）を向上させることができる。
【００２７】
なお、被照射物の色（例えば白色や黄色等）に対応した入力装置（例えばスイッチやボタン等）を設けておき、操作者が単に入力装置を操作すると、その色を浮かび上がらせるように制御装置１６がブラックライト１２ｂおよび蛍光ランプ１２ａ，１２ｃのうちで一方または双方について発光や光度等を調整するように制御する構成としてもよい。この構成であっても、被照射物の視認性を向上させることができる。
また、制御装置１６は光度調整回路１６ａとランプ切換回路１６ｂとで構成したが、ＣＰＵを中心とした処理装置で構成しても同様の効果が得られる。
【００２８】
（ａ２）造花２２への照射によって反射された反射光の照度を測定する照度センサ１４を備えた（図１を参照）。そして、制御装置１６に備えた光度調整回路１６ａおよびランプ切換回路１６ｂは、照度センサ１４によって測定された照度に応じて、ブラックライト１２ｂから照射する光度および蛍光ランプ１２ａ，１２ｃから照射する光度のうちで一方または双方の光度を調整する制御を行う構成とした（図３を参照）。造花２２が変わることによって当該造花２２が有する蛍光物質の成分や組成等が変わった場合であっても、適切な照度を維持できるので、視認性（見栄え）を向上させることができる。
【００２９】
〔実施の形態２〕
次に実施の形態２は、一本の蛍光ランプと二本のブラックライトとからなる照明装置に本発明を適用した例であって、図６，図７を参照しながら説明する。図６には照明装置の底面図を表し、図７には波長と照度（分光分布）の関係を表す。なお、上述した実施の形態１と同一の要素については同一符号を付して説明を省略する。
【００３０】
実施の形態２は、図６と図１（Ｂ）とを比較すれば明らかなように、照明装置３０に取り付けるランプを変えた点で実施の形態１と異なる。すなわち照明装置３０には、ランプ群３２として一本の蛍光ランプ３２ｂと二本のブラックライト３２ａ，３２ｃとを取り付けている。一方のブラックライト３２ａが放射する紫外線は波長λａ（例えば３１０[nm]など）をピークとし、他方のブラックライト３２ｃが放射する紫外線は波長λｂ（例えば３６０[nm]など）をピークとする。
【００３１】
上述した照明装置３０を用いて図４に示す造花２２を照らしたとき、反射光（照度）の分光分布は例えば図７（Ａ）に示すようなグラフとなる。当該図７（Ａ）に表す曲線ｆ８（自然光）と、曲線ｆ６（蛍光ランプ）と、曲線ｆ４（一方のブラックライト３２ａ）については実施の形態１と同様であると仮定する。ブラックライト３２ｃで造花２２を照らしたときには細線の曲線ｆ１０が得られる。そのため、照明装置３０で造花２２を照らして得られる一点鎖線の曲線ｆ２は、ブラックライト３２ａ，３２ｃの各波長とその近傍で押し上げられている。
【００３２】
そこで、蛍光ランプ３２ｂの光度を変えずにブラックライト３２ａ，３２ｃの光度を同程度高めてみると、造花２２の反射光にかかる分光分布は図７（Ｂ）に示すようなグラフとなった。すなわち波長λａとその近傍でさらに全体の照度（曲線ｆ２で表す）を押し上がり、自然光の曲線ｆ８により近似する結果となった。これは結果として造花２２が自然光の場合に近い色で見えていることになり、演色性が高まっている。よって、図７（Ｂ）の分光分布が得られるような照度を基準照度（または目標照度）とすれば、造花２２が有する蛍光物質の成分や組成等が変わった場合であっても、発光率や反射率をさらに高めて、視認性（見栄え）をさらに向上させることができる。
【００３３】
上述した実施の形態２によれば、以下に示す各効果を得ることができる。
（ｂ１）波長が異なるブラックライト３２ａ，３２ｃを複数（本例では二本）備え、制御装置１６は複数のブラックライト３２ａ，３２ｃのうちで一以上のブラックライトを選択して照射する制御を行う構成とした（図３を参照）。実施の形態１のように一定の波長λａで造花２２を照射しても、当該造花２２が有する蛍光物質の成分や組成等によって発光率や反射率が変わるので、視認性にも影響する。しかし波長が異なるブラックライト３２ａ，３２ｃのうちで一以上のブラックライト１２ｂを選択して照射するので、発光率や反射率を高めることが可能になり、結果的に視認性を向上させることができる。
（ｂ２）その他の要件，構成，作用，作動結果等は実施の形態１と同様であるので、当該実施の形態１と同様の効果が得られる｛上述した事項（ａ１），（ａ２）を参照｝。
【００３４】
なお本例ではブラックライト３２ａ，３２ｃの光度を同程度高めたが、ブラックライト３２ｃの光度をもう少し高めると曲線ｆ２と曲線ｆ８はほとんど同じ軌跡になるので、視認性（見栄え）をさらに向上させることができる。造花２２が有する蛍光物質の成分や組成等によっては、ブラックライト３２ａ，３２ｃのうちで一方を高めたときに視認性をさらが向上する場合もある。
【００３５】
〔他の実施例〕
以上、本発明を実施するための最良の形態について説明したが、本発明は当該実施の形態には限定されない。言い換えれば、本発明の要旨を逸脱しない範囲内において、種々なる形態で実施することが可能である。例えば、次に示す各形態を実現してもよい。
【００３６】
（ｃ１）実施の形態１，２では、単に蛍光ランプやブラックライトから照射する光度を調整する構成とした（図１，図６を参照）。この形態に代えて（あるいは加えて）、冠婚葬祭の種類ごとについて、制御する構成としたもよい。例えば、蛍光ランプやブラックライトについて各ランプのＯＮ／ＯＦＦや光度について、進行順に予め制御装置１６の記憶装置（例えばメモリやディスク媒体等）に記憶しておく。操作者が入力装置を操作して冠婚葬祭の種類を選択すれば、選択した種類にかかるＯＮ／ＯＦＦや光度の調整を進行順に制御する。こうすれば、簡単な操作で冠婚葬祭の進行に合わせて調光するので、被照射物の視認性（見栄え）を向上させることができる。
【００３７】
（ｃ２）実施の形態１では二本の蛍光ランプ１２ａ，１２ｃと一本のブラックライト１２ｂとからなるランプ群１２を取り付け（図１を参照）、実施の形態２では一本の蛍光ランプ３２ｂと二本のブラックライト３２ａ，３２ｃとからなるランプ群３２を取り付けた（図６を参照）。すなわち蛍光ランプとブラックライトとで取り付ける本数を異ならせた。この形態に代えて、蛍光ランプとブラックライトとについて、それぞれ他の本数を取り付けたり、同数で取り付けてもよい。例えば図８（Ａ）に示すように、二本の蛍光ランプ４２ａ，４２ｃと二本のブラックライト４２ｂ，４２ｄとからなるランプ群４２を取り付けた照明装置４０とする。この場合では蛍光ランプとブラックライトの光度をバランスよく調整することができるので、被照射物の視認性を向上させることができる。
【００３８】
（ｃ３）実施の形態１，２では、一つの照度センサ１４を備えた（図１，図６を参照）。この形態に代えて、二以上の照度センサ１４を備える構成としてもよい。例えば図８（Ｂ）に示すように、照明装置５０の両端部にそれぞれ照度センサ１４を備える。この場合、二つの照度センサ１４で得られる照度は単純平均や加重平均等を演算したうえで、基準照度や目標照度と比較する。三つ以上の照度センサ１４を備えた場合も同様である。
一つの照度センサ１４のみを備えた場合には、被照射物の配置が変わるに伴って照度が変化するので、配置によっては必要以上に光度を変化させてしまう。複数の照度センサ１４を備えた場合には、被照射物の配置が変わっても照度は平均化される。そのため、より適切な光度を調整し、被照射物の視認性を向上させることができる。
【００３９】
（ｃ４）実施の形態１，２では、反射光の照度を測定する照度センサ１４を備えた（図１，図６を参照）。この形態に代えて（あるいは加えて）、反射光の分光分布を測定する分光分布センサや、反射光の色温度を測定する色温度センサを備えてもよい。さらには、照度センサ，分光分布センサ，色温度センサのうちで二以上を任意に組み合わせて備える構成としてもよい。分光分布センサを備えた場合には自然光の分光分布と比較してきめ細かな調整が行えるようになり、色温度センサを備えた場合にはランプの交換や経時変化で徐々に光度が低下しても同じ色温度が得られるように調整が行える。したがって、実施の形態１，２と同様に被照射物の視認性を向上させることができる。
【００４０】
（ｃ５）実施の形態１，２では、ランプ群１２，３２を構成する複数のランプの長さがほぼ同じになるようにソケット１８を備えた（図１，図６を参照）。この形態に代えて、ランプ群を構成する複数のランプのうちで一以上のランプを他のランプと異なる長さとなるようにソケット１８を照明装置６０に備えてもよい。
図８（Ｃ）に示す例では、蛍光ランプ１２ａ，１２ｃに比べてブラックライト１２ｂの長さが短くなるようにソケット１８を配置している。一般的にはランプの長さが短くなると放射可能な光の強さも弱まるので、蛍光ランプの光度とブラックライトの光度とをバランスよくしたい場合に効果がある。こうすれば同じ長さのランプを用いた場合よりは、被照射物の視認性を向上させることができる。
【図面の簡単な説明】
【００４１】
【図１】照明装置の構成を模式的に表す図である。
【図２】制御装置の構成を模式的に表す図である。
【図３】光度制御処理の手続き例を表すフローチャートである。
【図４】照明装置の使用例を表す図である。
【図５】波長と照度（分光分布）の関係を説明する図である。
【図６】照明装置の構成を模式的に表す図である。
【図７】波長と照度の関係を説明する図である。
【図８】照明装置の構成を模式的に表す図である。
【符号の説明】
【００４２】
１０，３０  照明装置
１２，３２  ランプ群
１２ａ，１２ｃ，３２ｂ  蛍光ランプ（可視光線ランプ）
１２ｂ，３２ａ，３２ｃ  ブラックライト（紫外線ランプ）
１４  照度センサ
１４ａ  筒体
１４ｂ  センサ本体
１６  制御装置（光度調整手段）
１６ａ  光度調整回路
１６ｂ  ランプ切換回路
１８  ソケット
２０  反射笠
２２  造花（被照射物）
【図１】
2006114332.tif 000003
【図２】
2006114332.tif 000004
【図３】
2006114332.tif 000005
【図４】
2006114332.tif 000006
【図５】
2006114332.tif 000007
【図６】
2006114332.tif 000008
【図７】
2006114332.tif 000009
【図８】
2006114332.tif 000010